(57)【要約】【課題】セキュリティの安全性を保持しつつ、本構成を採用しない場合に比べて、印刷に要する手順を減少する印刷プログラム及び情報処理装置を提供する。【解決手段】印刷サーバ１は、利用者の識別情報と電話番号とを関連付ける利用者情報１１１及び複合機の識別情報と電話番号とを関連付ける複合機情報１１４を記憶する記憶部１１と、印刷情報及び利用者の識別情報を受け付ける印刷情報受付手段１００と、受け付けた印刷情報を前記利用者の識別情報に関連付けて登録する印刷情報登録手段１０１と、外部から電話を受信する電話受信部１３と、受信した電話の発信元の電話番号と、利用者情報１１１とに基づいて印刷情報を特定する印刷情報特定手段１０２と、受信した電話の発信先の電話番号と、複合機情報１１４とに基づいて複合機を特定する複合機特定手段１０３と、特定された印刷情報を、特定された複合機に送信する印刷情報送信手段１０４とを有する。【選択図】図２
2013069023.tif 000002
【特許請求の範囲】
【請求項１】
コンピュータを、
印刷情報及び利用者の識別情報を受け付ける受付手段と、
受付手段が受け付けた前記印刷情報を前記利用者の識別情報に関連付けて記憶装置に登録する登録手段と、
外部から電話を受信する電話受信手段と、
前記記憶装置に記憶された利用者の識別情報と第１の電話番号とを関連付ける利用者情報とに基づいて、前記電話受信手段が受信した電話の発信元の電話番号である第１の電話番号から利用者の識別情報を特定し、前記記憶装置に登録された印刷情報から当該利用者の識別情報に関連付けられた印刷情報を特定する印刷情報特定手段と、
前記記憶装置に記憶された印刷装置の識別情報と第２の電話番号とを関連付ける印刷装置情報とに基づいて、前記受信した電話の発信先の電話番号である第２の電話番号から印刷装置の識別情報を特定する印刷装置特定手段と、
特定された前記印刷情報を、特定された前記印刷装置の識別情報に該当する印刷装置に送信する送信手段として機能させるための印刷プログラム。
【請求項２】
前記電話受信手段は、前記印刷情報特定手段が特定した印刷情報が複数存在する場合、当該複数の印刷情報が存在する旨を前記外部に通知する請求項１に記載の印刷プログラム。
【請求項３】
前記送信手段は、前記印刷情報特定手段が特定した印刷情報が複数存在する場合、当該複数の印刷情報が存在する旨を特定された前記印刷装置に通知する請求項１に記載の印刷プログラム。
【請求項４】
印刷情報及び利用者の識別情報を受け付ける受付手段と、
受付手段が受け付けた前記印刷情報を前記利用者の識別情報に関連付けて記憶装置に登録する登録手段と、
外部から電話を受信する電話受信手段と、
前記記憶装置に記憶された利用者の識別情報と第１の電話番号とを関連付ける利用者情報とに基づいて、前記電話受信手段が受信した電話の発信元の電話番号である第１の電話番号から利用者の識別情報を特定し、前記記憶装置に登録された印刷情報から当該利用者の識別情報に関連付けられた印刷情報を特定する印刷情報特定手段と、
前記記憶装置に記憶された印刷装置の識別情報と第２の電話番号とを関連付ける印刷装置情報とに基づいて、前記受信した電話の発信先の電話番号である第２の電話番号から印刷装置の識別情報を特定する印刷装置特定手段と、
特定された前記印刷情報を、特定された前記印刷装置の識別情報に該当する印刷装置に送信する送信手段とを有する情報処理装置。
【発明の詳細な説明】
【技術分野】
【０００１】
本発明は、印刷プログラム及び情報処理装置に関する。
【背景技術】
【０００２】
従来の技術として、携帯電話機からの着信を利用して電気錠を解錠するセキュリティシステムが提案されている（例えば、特許文献１参照）。
【０００３】
特許文献１に開示されたセキュリティシステムは、玄関等の開閉ドアに取り付けられる電気錠と、電気錠の施錠、解錠を制御する施解錠装置と、特定の解錠許諾者の携帯する携帯電話機からの着信の際に、着信信号に含まれる携帯電話機の電話番号を認識し、認識した電話番号を施解錠装置に送信する交換局とを有し、施解錠装置は当該電話番号と予め記憶されている特定の電話番号とを比較して、両者が一致した場合には電気錠を解錠する。
【０００４】
また、他の技術として、記憶装置に登録された印刷ジョブを識別する識別番号を発行し、当該識別番号が印刷装置に入力されると該当する印刷ジョブを記憶装置から印刷装置に送信する印刷サーバが提案されている（例えば、特許文献２参照）。
【０００５】
特許文献２に開示された印刷サーバは、端末装置から印刷情報の印刷要求を受け付けると当該印刷情報の印刷ジョブを記憶装置に登録し、登録した印刷ジョブに対して識別番号を発行する。その後、利用者は、発行された識別番号を印刷装置に入力し、印刷装置は入力された識別番号を印刷サーバに送信する。これにより、印刷サーバは、印刷装置に印刷ジョブを送信し、印刷装置に印刷を実行させる。
【先行技術文献】
【特許文献】
【０００６】
【特許文献１】特開２００２−３４４６４３号公報
【特許文献２】特開２００２−１３２４６４号公報
【発明の概要】
【発明が解決しようとする課題】
【０００７】
本発明の目的は、セキュリティの安全性を保持しつつ、本構成を採用しない場合に比べて、印刷に要する手順を減少する印刷プログラム及び情報処理装置を提供することにある。
【課題を解決するための手段】
【０００８】
本発明の一態様は、上記目的を達成するため、以下の印刷プログラム及び情報処理装置を提供する。
【０００９】
［１］コンピュータを、
印刷情報及び利用者の識別情報を受け付ける受付手段と、
受付手段が受け付けた前記印刷情報を前記利用者の識別情報に関連付けて記憶装置に登録する登録手段と、
外部から電話を受信する電話受信手段と、
前記記憶装置に記憶された利用者の識別情報と第１の電話番号とを関連付ける利用者情報とに基づいて、前記電話受信手段が受信した電話の発信元の電話番号である第１の電話番号から利用者の識別情報を特定し、前記記憶装置に登録された印刷情報から当該利用者の識別情報に関連付けられた印刷情報を特定する印刷情報特定手段と、
前記記憶装置に記憶された印刷装置の識別情報と第２の電話番号とを関連付ける印刷装置情報とに基づいて、前記受信した電話の発信先の電話番号である第２の電話番号から印刷装置の識別情報を特定する印刷装置特定手段と、
特定された前記印刷情報を、特定された前記印刷装置の識別情報に該当する印刷装置に送信する送信手段として機能させるための印刷プログラム。
【００１０】
［２］前記電話受信手段は、前記印刷情報特定手段が特定した印刷情報が複数存在する場合、当該複数の印刷情報が存在する旨を前記外部に通知する前記［１］に記載の印刷プログラム。
【００１１】
［３］前記送信手段は、前記印刷情報特定手段が特定した印刷情報が複数存在する場合、当該複数の印刷情報が存在する旨を特定された前記印刷装置に通知する前記［１］に記載の印刷プログラム。
【００１２】
［４］印刷情報及び利用者の識別情報を受け付ける受付手段と、
受付手段が受け付けた前記印刷情報を前記利用者の識別情報に関連付けて記憶装置に登録する登録手段と、
外部から電話を受信する電話受信手段と、
前記記憶装置に記憶された利用者の識別情報と第１の電話番号とを関連付ける利用者情報とに基づいて、前記電話受信手段が受信した電話の発信元の電話番号である第１の電話番号から利用者の識別情報を特定し、前記記憶装置に登録された印刷情報から当該利用者の識別情報に関連付けられた印刷情報を特定する印刷情報特定手段と、
前記記憶装置に記憶された印刷装置の識別情報と第２の電話番号とを関連付ける印刷装置情報とに基づいて、前記受信した電話の発信先の電話番号である第２の電話番号から印刷装置の識別情報を特定する印刷装置特定手段と、
特定された前記印刷情報を、特定された前記印刷装置の識別情報に該当する印刷装置に送信する送信手段とを有する情報処理装置。
【発明の効果】
【００１３】
請求項１又は４に係る発明によれば、セキュリティの安全性を保持しつつ、本構成を採用しない場合に比べて、印刷に要する手順を減少することができる。
【００１４】
請求項２に係る発明によれば、特定された印刷情報が複数存在する場合、当該複数の印刷情報が存在する旨を外部に通知することができる。
【００１５】
請求項３に係る発明によれば、特定された印刷情報が複数存在する場合、当該複数の印刷情報が存在する旨を特定した複合機に通知することができる。
【図面の簡単な説明】
【００１６】
【図１】図１は、本発明の実施の形態に係る印刷システムの構成の一例を示す概略図である。
【図２】図２は、本発明の実施の形態に係る印刷サーバの構成の一例を示すブロック図である。
【図３】図３は、利用者情報の構成の一例を示す概略図である。
【図４】図４は、印刷関連情報の構成の一例を示す概略図である。
【図５】図５は、複合機情報の構成の一例を示す概略図である。
【図６】図６は、印刷サーバの動作の一例を示すフローチャートである。
【発明を実施するための形態】
【００１７】
［実施の形態］
（印刷システムの構成）
図１は、本発明の実施の形態に係る印刷システムの構成の一例を示す概略図である。
【００１８】
本発明の実施の形態の一例として、印刷システム６は、印刷サーバ１、端末装置２、複合機３、携帯電話４等を有し、ネットワーク５で互いに通信可能に接続する。
【００１９】
印刷サーバ１は、情報を処理するための機能を備えたＣＰＵ（Ｃｅｎｔｒａｌ  Ｐｒｏｃｅｓｓｉｎｇ  Ｕｎｉｔ）や記憶部等の電子部品を備える情報処理装置であり、端末装置２から画像や文書等の印刷情報２００を受信して利用者情報に関連付けて保存する。また、印刷サーバ１は、複合機３の要求に応じて利用者情報の認証後、利用者情報に関連付けられた印刷情報２００を複合機３に送信する。
【００２０】
端末装置２は、操作入力用のキーボード、マウス、タッチパッド等の操作部と、液晶ディスプレイ等の表示部と、ＣＰＵや記憶部等の電子部品を有する制御部とを備える。端末装置２は、印刷サーバ１に利用者の操作に応じた要求を送信し、その要求に対する応答を受信して、受信した内容を制御部で処理した結果を表示部に表示する。なお、端末装置２は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、端末装置２は、同図では１台を図示するが、複数台でもよい。
【００２１】
複合機３は、本実施の形態では印刷装置の一例であり、印刷サーバ１から受信する印刷情報に基づいて印刷を実行し、印刷物を出力する印刷機能を少なくとも有し、さらに紙面等を光学走査するスキャナ機能やファクシミリ機能等を有してもよい。また、ＬＣＤ（Ｌｉｑｕｉｄ  Ｃｒｙｓｔａｌ  Ｄｉｓｐｌａｙ）等の表示部、タッチパッド又は複数の操作キーからなる操作部とを有する。また、複合機３は、異なる地点に複数台設置されるものであるが、同図では代表して１台を図示する。
【００２２】
携帯電話４は、予め定められた電話番号に電話をかけることで図示しない無線通信網を介して印刷サーバ１と通信する。
【００２３】
ネットワーク５は、インターネット、ＬＡＮ（Ｌｏｃａｌ  Ａｒｅａ  Ｎｅｔｗｏｒｋ）等の通信網であり、有線、無線は問わない。
【００２４】
（印刷サーバの構成）
図２は、本発明の実施の形態に係る印刷サーバの構成の一例を示すブロック図である。
【００２５】
この印刷サーバ１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、ネットワーク５を介して外部と通信する通信部１２と、無線通信網を介して携帯電話４からの通話を受信する電話受信部１３とを備える。
【００２６】
制御部１０は、後述する印刷プログラム１１０を実行することで、印刷情報受付手段１００、印刷情報登録手段１０１、印刷情報特定手段１０２、複合機特定手段１０３及び印刷情報送信手段１０４等として機能する。
【００２７】
印刷情報受付手段１００は、端末装置２等から印刷情報２００及び端末装置２を利用する利用者を識別する利用者識別情報を受け付ける。
【００２８】
印刷情報登録手段１０１は、印刷情報受付手段１００が受け付けた印刷情報２００を記憶部１１に印刷情報１１２として登録し、印刷情報１１２と利用者識別情報との関連付けの情報を記憶部１１に印刷関連情報１１３として登録する。
【００２９】
印刷情報特定手段１０２は、電話受信部１３において受信した通話の発信元の電話番号と、記憶部１１に記憶された後述する利用者情報１１１とに基づいて利用者識別情報を特定し、印刷関連情報１１３に基づいて当該利用者識別情報に関連付けられた印刷情報１１２を特定する。
【００３０】
複合機特定手段１０３は、電話受信部１３において受信した電話の発信先の電話番号と、記憶部１１に記憶された後述する複合機情報１１４とに基づいて印刷情報１１２を送信すべき複合機を特定する。
【００３１】
印刷情報送信手段１０４は、印刷情報特定手段１０２が特定した印刷情報１１２を、複合機特定手段１０３が特定した複合機に送信する。
【００３２】
記憶部１１は、印刷プログラム１１０、利用者情報１１１、印刷情報１１２、印刷関連情報１１３及び複合機情報１１４等を格納する。
【００３３】
印刷プログラム１１０は、制御部１０を上記した各手段１００〜１０４として動作させるプログラムである。
【００３４】
利用者情報１１１は、利用者識別情報及び電話番号等をそれぞれ関連付けた情報である。
【００３５】
印刷情報１１２は、印刷情報受付手段１００が受け付けた印刷情報である。
【００３６】
印刷関連情報１１３は、印刷情報１１２と利用者識別情報とを関連付ける情報である。
【００３７】
複合機情報１１４は、複合機の識別情報と電話番号とを関連付ける情報である。
【００３８】
電話受信部１３は、複数の複合機にそれぞれ対応した複数の電話番号に対する通話の発信を受信する。
【００３９】
図３は、利用者情報１１１の構成の一例を示す概略図である。
【００４０】
利用者情報１１１は、利用者の詳細を示す情報であり、利用者識別情報を示す利用者ＩＤと、利用者識別情報に対して予め定められたパスワードを示すパスワードと、利用者のメールアドレスを示すメールアドレスと、利用者の電話番号とを有する。
【００４１】
図４は、印刷関連情報１１３の構成の一例を示す概略図である。
【００４２】
印刷関連情報１１３は、利用者識別情報を示す利用者ＩＤと、利用者識別情報と関連付けられる印刷情報を示す印刷情報と、印刷情報に割り振られた予約番号とを有する。
【００４３】
図５は、複合機情報１１４の構成の一例を示す概略図である。
【００４４】
複合機情報１１４は、複合機の識別情報を示す複合機ＩＤと、複合機の識別情報に割り振られた電話番号とを有する。
【００４５】
（印刷システムの動作）
次に、本実施の形態の作用を、（１）印刷情報の受付動作、（２）印刷情報の送信動作、（３）印刷動作に分けて説明する。
【００４６】
（１）印刷情報の受付動作
まず、利用者は、端末装置２を操作して印刷を所望する印刷情報２００を印刷サーバ１に登録すべく、印刷サーバ１と通信する。通信の際、利用者は最初に端末装置２に利用者識別情報の利用者ＩＤとパスワードを入力し、端末装置２は印刷サーバ１に認証を要求する。
【００４７】
印刷サーバ１は、端末装置２から認証要求とともに利用者ＩＤとパスワードを受信し、利用者情報１１１を参照して認証する。登録された利用者である場合、認証が成功したと判断し、印刷情報２００の登録が可能になった旨を端末装置２に通知する。
【００４８】
次に、利用者は印刷情報２００を印刷サーバ１に登録すべく端末装置２を操作する。端末装置２は、登録要求とともに印刷情報２００を印刷サーバ１に送信する。
【００４９】
印刷サーバ１は、登録要求とともに印刷情報２００を受信し、印刷情報１１２として記憶部１１に格納し、認証された利用者ＩＤと格納した印刷情報を関連付けるために印刷関連情報１１３を登録する。その際、予約番号を発行し、端末装置２に送信してもよい。
【００５０】
印刷サーバ１が予約番号を発行した場合、端末装置２は、予約番号を受信し、表示部に表示して利用者に提示する。利用者は、端末装置２に表示された予約番号をメモに書き留める等して、携帯電話４の所有者ではない他の利用者に教え、他の利用者が複合機３で印刷する際に用いる。また、携帯電話４の利用者以外の利用者が印刷を実行しない場合は、印刷サーバ１は予約番号の発行を省略してもよい。
【００５１】
以下、携帯電話４の所有者である利用者が、携帯電話４を利用して印刷を実行するための動作を説明する。なお、印刷サーバ１の電話番号は、複合機３に表示しておく等して利用者に知らせてもよいし、印刷情報１１２の登録の際に端末装置２の表示部に表示して知らせてもよい。
【００５２】
（２）印刷情報の送信動作
図６は、印刷サーバの動作の一例を示すフローチャートである。
【００５３】
まず、電話受信部１３は、利用者の携帯電話４からの、複合機３に対応する電話番号に対する電話を受信する（Ｓ１０）。
【００５４】
次に、印刷情報特定手段１０２は、電話受信部１３において受信した電話の発信元の電話番号と、記憶部１１に記憶された利用者情報１１１とに基づいて利用者ＩＤを特定する（Ｓ１１）。例えば、図３に示すように、電話番号「０３−ｘｘ−ｘｘｘｘ」から着信があると、利用者ＩＤが「０００１」であると特定する。
【００５５】
次に、印刷情報特定手段１０２は、印刷関連情報１１３に基づいて当該利用者ＩＤに関連付けられた印刷情報１１２を特定する（Ｓ１２）。図４に示すように、利用者識別情報が「０００１」である場合、印刷情報は「Ａ」、「Ｂ」又は「Ｃ」のいずれかである。
【００５６】
ここで、いずれの印刷情報を印刷するかについては、通話中の携帯電話４に対して音声ガイド等を用いて通知し、利用者に選択させてもよいし、複合機３の表示部にその旨表示して選択させてもよい。
【００５７】
次に、複合機特定手段１０３は、電話受信部１３において受信した通話の発信先の電話番号と、記憶部１１に記憶された複合機情報１１４とに基づいて印刷情報１１２を送信すべき複合機を特定する（Ｓ１３）。例えば、図５に示すように、携帯電話４から電話番号「０３−ｉｉ−ｉｉｉｉ」に電話をかけてきた場合は、複合機の識別情報「０１００」を、印刷情報を送信すべき複合機であると特定する。
【００５８】
次に、印刷情報送信手段１０４は、印刷情報特定手段１０２が特定した印刷情報１１２（「Ａ」、「Ｂ」又は「Ｃ」のうち利用者が選択したもの）を、複合機特定手段１０３が特定した複合機３（複合機ＩＤ「０１００」）に送信する。
【００５９】
（３）印刷動作
次に、複合機３は、印刷サーバ１から印刷情報１１２を受信し、印刷準備が完了した旨及び印刷実行のためのボタン表示等を表示部に表示する。
【００６０】
利用者は、印刷を実行させるべく複合機３を操作し、複合機３は操作に応じて印刷を実行する。
【００６１】
（実施の形態の効果）
上記した実施の形態によると、携帯電話４から発信された通話の受信内容に応じて、印刷すべき印刷情報及び印刷を実行すべき複合機３を特定したため、従来のように予約番号の入力を要求していた場合に比べて、印刷に要する手順を減少することができる。また、利用者の有する携帯電話４の番号という固有の情報を利用して上記の動作を行うため、セキュリティの安全性を保持することができる。
【００６２】
［他の実施の形態］
なお、本発明は、上記実施の形態に限定されず、本発明の趣旨を逸脱しない範囲で種々な変形が可能である。例えば、携帯電話４からの通話の受信に限らず、固有のメールアドレスからのメールの受信等を代わりに利用してもよい。
【００６３】
上記実施の形態では制御部１０内の各手段１００〜１０４の機能をプログラムで実現したが、各手段１００〜１０４の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００６４】
１     印刷サーバ
２     端末装置
３     複合機
４     携帯電話
５     ネットワーク
６     印刷システム
１０   制御部
１１   記憶部
１２   通信部
１３   電話受信部
１００ 印刷情報受付手段
１０１ 印刷情報登録手段
１０２ 印刷情報特定手段
１０３ 複合機特定手段
１０４ 印刷情報送信手段
１１０ 印刷プログラム
１１１ 利用者情報
１１２ 印刷情報
１１３ 印刷関連情報
１１４ 複合機情報
２００ 印刷情報
【図１】
2013069023.tif 000003
【図２】
2013069023.tif 000004
【図３】
2013069023.tif 000005
【図４】
2013069023.tif 000006
【図５】
2013069023.tif 000007
【図６】
2013069023.tif 000008